(57)【要約】【課題】リサイクル用に部品を分解する時に、脚が製品から容易に取り外せる脚の取り付け構造を提供する。【解決手段】弾性材料からなる脚２と、製品本体１の一部に設けられ前記脚２が圧入装着される被装着部３ａと、装着された前記脚２と前記被装着部３ａとの間に形成され略棒状の引抜手段５が挿入される挿入部６とを備え、前記挿入部６を前記被装着部３ａに設けたもので、挿入部６に引抜手段５を挿入することにより、脚２を被装着部３ａから容易に取り外して分離できるので、分解時間を短縮し、分解費用を低減できるとともにリサイクル率を向上させることができる。【選択図】図２
2006292303.tif 000002
【特許請求の範囲】
【請求項１】
弾性材料からなる脚と、製品本体の一部に設けられ前記脚が圧入装着される被装着部と、装着された前記脚と前記被装着部との間に形成され略棒状の引抜手段が挿入される挿入部とを備え、前記挿入部を前記被装着部に設けた脚の取り付け構造。
【請求項２】
被装着部の脚近傍に凸部を設けた請求項１に記載の脚の取り付け構造。
【請求項３】
凸部の端面に窪みを設けた請求項２に記載の脚の取り付け構造。
【請求項４】
凸部を脚の周囲に略環状に設けた請求項２又は３に記載の脚の取り付け構造。
【発明の詳細な説明】
【技術分野】
【０００１】
本発明は、電気製品やガス器具等の底部に取り付けられる脚の取り付け構造に関するものである。
【背景技術】
【０００２】
従来、この種の脚の取り付け構造は、図４に示すように、製品本体１００の底部を覆う裏板１０１に孔１０２を設け、その孔１０２に脚１０３を圧入し、係合することにより固定、保持する構成となっている（例えば、特許文献１参照）。
【特許文献１】特開平１１−１８９３７号公報
【発明の開示】
【発明が解決しようとする課題】
【０００３】
近年、地球環境保護の観点から循環型社会を目指し、家庭用電気製品をはじめとして廃棄製品のリサイクル推進が求められている。
【０００４】
しかしながら上記従来の脚１０３の構成では、脚１０３を裏板１０１にしっかりと保持・固定し、容易に抜けないようにしているため、リサイクル等のために製品本体１００を分解する際、脚１０３が外しにくく、分解に時間がかかり、また、分解困難なためにリサイクルができないという課題を有していた。
【０００５】
本発明は、前記従来の課題を解決するもので、脚の製品本体からの分離を容易にして、分解時間を短縮し、分解費用を大幅に低減できるとともにリサイクル率が向上できる脚の取り付け構造を提供することを目的とする。
【課題を解決するための手段】
【０００６】
前記従来の課題を解決するために、本発明の脚の取り付け構造は、弾性材料からなる脚と、製品本体の一部に設けられ前記脚が圧入装着される被装着部と、装着された前記脚と前記被装着部との間に形成され略棒状の引抜手段が挿入される挿入部とを備え、前記挿入部を前記被装着部に設けたもので、挿入部に引抜手段を挿入することにより、脚を被装着部から容易に取り外して分離できるので、分解時間を短縮し、分解費用を低減できるとともにリサイクル率を向上させることができる。
【発明の効果】
【０００７】
本発明の脚の取り付け構造は、脚の被装着部からの分離を容易にすることにより分解時間を短縮し分解費用を低減できるとともにリサイクル率の向上が可能となる。
【発明を実施するための最良の形態】
【０００８】
第１の発明は、弾性材料からなる脚と、製品本体の一部に設けられ前記脚が圧入装着される被装着部と、装着された前記脚と前記被装着部との間に形成され略棒状の引抜手段が挿入される挿入部とを備え、前記挿入部を前記被装着部に設けたもので、挿入部に引抜手段を挿入することにより、脚を被装着部から容易に取り外して分離できるので、分解時間を短縮し、分解費用を低減できるとともにリサイクル率を向上させることができる。
【０００９】
第２の発明は、特に、第１の発明の被装着部の脚近傍に凸部を設けたもので、引抜手段を凸部に当てることにより、テコの原理を利用して、小さい力で、脚を被装着部から引き抜くことができる。
【００１０】
第３の発明は、特に、第２の発明の凸部の端面に窪みを設けたもので、窪みにより引抜手段がずれることなく、確実に脚を引き抜くことができる。
【００１１】
第４の発明は、特に、第２又は第３の発明の凸部を脚の周囲に略環状に設けたもので、脚を抜く時に、その作業を行う方向を気にすることなく、どの方向からも脚を引き抜くことができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における脚の取り付け構造を有する製品本体の部分断面図、図２は、同脚の取り付け部の拡大断面図、図３は、同脚と取り付け部の斜視図である。
【００１４】
図１〜図３において、１は、脚２が取り付けられる製品本体で、その底面は、裏板３で塞がれ、ゴムなどの弾性材料からなる脚２が、裏板３の４箇所の被装着部３ａのそれぞれに設けられている。脚２は、製品としての機能上容易に裏板３の被装着部３ａから外れないように、被装着部３ａに設けた裏板孔４にしっかりと圧入・固定されている。被装着部３ａの脚２の近傍には、所定の棒状の引抜手段５を挿入する挿入部６が設けられている。また、被装着部３ａの脚２の周囲に凸部７が略環状に配設され、さらに凸部７の端部には、引抜手段５が脚２の引き抜き時にずれることがないように窪み８が複数設けられている。
【００１５】
上記構成により、リサイクルのために製品本体１の裏板３から脚２を分離するときは、被装着部３ａの挿入部６に引抜手段５の先端を差し込み、被装着部３ａに設けた凸部７に当てながらこじるとテコの原理により小さい力で、被装着部３ａの裏板孔４より容易に脚２を引き抜くことができる。
【００１６】
また、凸部７は、脚２の周囲に略環状に設けられ、環状の凸部７の端面には窪み８が複数個設けられているので、引抜手段５がずれることなく確実に脚２を引き抜くことができるとともに、作業する方向を気にすることなく、どの方向からも脚２を引き抜くことができる。
【００１７】
以上ように、脚２が裏板３の被装着部３ａに強固に固定されていても簡単かつ短時間で分解できるため、分解にかかる費用を安くすることができ、裏板３と脚２を別々の材質に分別しリサイクルを行うことが可能となる。したがって、近年求められている、地球環境保護の観点から循環型社会を目指し家庭用電気製品をはじめとして廃棄製品のリサイクルを推進することができる。
【産業上の利用可能性】
【００１８】
以上のように、本発明にかかる脚の取り付け構造は、脚の製品本体からの分離を容易にして、分解時間を短縮し、分解費用を低減できるとともにリサイクル率の向上が可能となるもので、脚に限らず、弾性体からなり、製品本体に圧入装着されるクッションゴム等の各種部品の取り付け構造にも広く適用できる。
【図面の簡単な説明】
【００１９】
【図１】本発明の実施の形態１における脚の取り付け構造を有する製品本体の部分断面図
【図２】同脚の取り付け部の拡大断面図
【図３】同脚と取り付け部の斜視図
【図４】従来の脚の取り付け構造を有する製品本体の部分断面図
【符号の説明】
【００２０】
１  製品本体
２  脚
３  裏板
３ａ  被装着部
５  引抜手段
６  挿入部
７  凸部
８  窪み
【図１】
2006292303.tif 000003
【図２】
2006292303.tif 000004
【図３】
2006292303.tif 000005
【図４】
2006292303.tif 000006